(57)【要約】【課題】新たに撮影が行われることによって、記憶領域に記憶されている撮影画像のＲＡＷデータが自動消去される場合に、ユーザによる画質調整予定があるＲＡＷデータが知らないうちに消去され画質調整できなくなることを防止できる。【解決手段】撮像装置２００は、撮影指示に基づいて生成された現像前の撮影画像であるＲＡＷデータ、及びそのＲＡＷデータを現像して生成されたＪＰＥＧデータを関連付けて外部記憶媒体２１０の記憶領域に記憶する。記憶領域の空き容量が所定値未満の場合、次の撮影指示があったときにＲＡＷデータを消去する。記憶領域の空き容量に応じた撮影可能枚数に基づいて、このＲＡＷデータの消去に関する緊迫度を算出し、その算出された緊迫度を通知する。【選択図】  図１
2017228886.tif 000002
【特許請求の範囲】
【請求項１】
撮影指示に基づいて現像前の撮影画像である第一の画像データを生成する第１の生成手段と、
前記第一の画像データを現像して第二の画像データを生成する第２の生成手段と、
前記第一の画像データおよび前記第二の画像データを関連付けて記憶領域に記憶する記憶手段と、
前記記憶領域の空き容量が所定値未満の場合、次の撮影指示があったときに前記第一の画像データを消去する消去手段と、
前記記憶領域の空き容量に応じた撮影可能枚数に基づいて、前記第一の画像データの消去に関する緊迫度を算出する算出手段と、
前記緊迫度を通知する通知手段とを備えることを特徴とする情報通知装置。
【請求項２】
前記第一の画像データはＲＡＷデータであり、前記第二の画像データは前記第一の画像データに対して所定の画像処理パラメータで画像処理をおこない、その結果を符号化したデータであることを特徴とする請求項１記載の情報通知装置。
【請求項３】
前記第二の画像データに対して、画像処理パラメータを指定する指定手段と、
前記指定手段による指定があった場合、前記第一の画像データに対して前記指定手段で指定された画像処理パラメータで画像処理をおこない、その結果を符号化する符号化手段とをさらに備えることを特徴とする請求項１又は２に記載の情報通知装置。
【請求項４】
前記第二の画像データを前記符号化された結果で上書きすることを特徴とする請求項３記載の情報通知装置。
【請求項５】
前記第二の画像データとは異なるデータとして前記符号化された結果を前記記憶領域に記憶することを特徴とする請求項３記載の情報通知装置。
【請求項６】
前記算出手段は、前記記憶領域の空き容量に基づいて段階的に前記緊迫度を算出することを特徴とする請求項１乃至５のいずれか一項に記載の情報通知装置。
【請求項７】
撮影モードにおいてライブビューを表示する表示手段をさらに備え、
前記通知手段は、前記ライブビューが表示されているときに前記緊迫度を表示することを特徴とする請求項１乃至６のいずれか一項に記載の情報通知装置。
【請求項８】
前記撮影モードにおいて、複数の画質モードの一つを設定する設定手段をさらに備え、
前記撮影モードにおいて前記緊迫度が最も高くなった場合、前記算出手段は、前記複数の画質モードに応じて前記撮影可能枚数をそれぞれ算出し、前記通知手段は、前記複数の画質モード毎の前記緊迫度を通知することを特徴とする請求項７項に記載の情報通知装置。
【請求項９】
複数回の撮影指示があった場合、前記通知手段は、前記生成された第一の画像の各々について、前記緊迫度を通知することを特徴とする請求項１乃至８のいずれか一項に記載の情報通知装置。
【請求項１０】
通信手段をさらに具備し、前記通知手段は、該通信手段を介して外部装置に前記緊迫度を送信し、該外部装置で前記緊迫度を通知することを特徴とする請求項９記載の情報通知装置。
【請求項１１】
前記外部装置で、前記複数回の撮影指示に基づく前記第二の画像データの各々を前記緊迫度とともに一覧表示することを特徴とする請求項１０記載の情報通知装置。
【請求項１２】
前記一覧表示された第二の画像データのうち、前記関連づけられた前記第一の画像データが前記記憶領域に存在しないものの前記緊迫度は表示しないことを特徴とする請求項１１記載の情報通知装置。
【請求項１３】
前記算出手段は、さらに撮影設定に基づいて前記緊迫度を算出することを特徴とする請求項１乃至１２のいずれか一項に記載の情報通知装置。
【請求項１４】
前記通知手段は、文字、アイコン、表示色、音のいずれかまたはこれらの組み合わせにより前記緊迫度を通知することを特徴とする請求項１乃至１３のいずれか一項に記載の情報通知装置。
【請求項１５】
撮影指示に基づいて現像前の撮影画像である第一の画像データを生成する第１の生成手段と、前記第一の画像データを現像して第二の画像データを生成する第２の生成手段と、前記第一の画像データおよび前記第二の画像データを関連付けて記憶領域に記憶する記憶手段とを備える情報通知装置の制御方法であって、
前記記憶領域の空き容量が所定値未満での場合、次の撮影指示があったときに前記第一の画像データを消去する消去ステップと、
前記記憶領域の空き容量に応じた撮影可能枚数に基づいて、前記第一の画像データの消去に関する緊迫度を算出する算出ステップと、
前記緊迫度を通知する通知ステップとを有することを特徴とする制御方法。
【請求項１６】
撮影指示に基づいて現像前の撮影画像である第一の画像データを生成する第１の生成手段と、前記第一の画像データを現像して第二の画像データを生成する第２の生成手段と、前記第一の画像データおよび前記第二の画像データを関連付けて記憶領域に記憶する記憶手段とを備える情報通知装置の制御方法をコンピュータに実行させるためのプログラムであって、
前記制御方法は、
前記記憶領域の空き容量が所定値未満の場合、次の撮影指示があったときに前記第一の画像データを消去する消去ステップと、
前記記憶領域の空き容量に応じた撮影可能枚数に基づいて、前記第一の画像データの消去に関する緊迫度を算出する算出ステップと、
前記緊迫度を通知する通知ステップとを有することを特徴とするプログラム。
【発明の詳細な説明】
【技術分野】
【０００１】
本発明は、情報通知装置、情報通知装置の制御方法、及びプログラムに関するものである。
【背景技術】
【０００２】
撮影時に、現像処理が完了していない状態のＲＡＷデータ（原画像）をそのＲＡＷデータを非可逆符号化したデータ（例えばＪＰＥＧデータ）と共に記憶する撮像装置が知られている。ＲＡＷデータには、画質の劣化を伴うことなく撮影画像に画像処理を行うことができるという利点がある。その一方、ＲＡＷデータはＪＰＥＧデータ等の非可逆符号化されたデータと比べて容量が大きく、記憶媒体の記憶容量を圧迫しやすい。
【０００３】
こうした事情に鑑みて、特許文献１では記憶媒体の空き容量が所定の容量を下回った場合は、最も古いＲＡＷデータを消去してＲＡＷファイル記録領域の空き容量を確保することが開示されている。
【先行技術文献】
【特許文献】
【０００４】
【特許文献１】特開２００９−３０３１２２号公報
【発明の概要】
【発明が解決しようとする課題】
【０００５】
しかしながら、特許文献１の技術では、ユーザが知らないうちに、経過時間に基づきＲＡＷデータが自動消去されるため、ユーザが画質調整をしようとしたときにＲＡＷデータが存在せず、ＲＡＷデータを用いた撮影画像の画質調整を行えなくなることがあった。
【０００６】
本発明は、新たに撮影が行われることによって、記憶領域に記憶されている撮影画像のＲＡＷデータが自動消去される場合に、ユーザによる画質調整予定があるＲＡＷデータが知らないうちに消去され画質調整できなくなることを防止することを目的とする。
【課題を解決するための手段】
【０００７】
本発明の情報通知装置は、撮影指示に基づいて現像前の撮影画像である第一の画像データを生成する第１の生成手段と、前記第一の画像データを現像して第二の画像データを生成する第２の生成手段と、前記第一の画像データおよび前記第二の画像データを関連付けて記憶領域に記憶する記憶手段と、前記記憶領域の空き容量が所定値未満の場合、次の撮影指示があったときに前記第一の画像データを消去する消去手段と、前記記憶領域の空き容量に応じた撮影可能枚数に基づいて、前記第一の画像データの消去に関する緊迫度を算出する算出手段と、前記緊迫度を通知する通知手段とを備えることを特徴とする。
【発明の効果】
【０００８】
本発明によれば、新たに撮影が行われることによって、記憶領域に記憶されている撮影画像のＲＡＷデータが自動消去される場合に、ユーザによる画質調整予定があるＲＡＷデータが知らないうちに消去され画質調整できなくなることを防止できる。
【図面の簡単な説明】
【０００９】
【図１】本発明の実施例１に係る緊迫度通知処理の手順を示すフローチャートである。
【図２】本実施例１に係る情報通知装置としての撮像装置の構成を示すブロック図である。
【図３】図２の撮像装置の表示部に表示する画面構成の一例を示す図である。
【図４】本発明の実施例２に係る情報通知装置としての撮像装置と通信する外部装置として例示されるＰＣの構成を示すブロック図である。
【図５】図４のＰＣの表示部に表示する画面構成の一例を示す図である。
【図６】本実施例２の撮像装置側において実行される緊迫度通知処理の手順を示すフローチャートである。
【図７】本実施例２のＰＣ側において実行される緊迫度通知処理の手順を示すフローチャートである。
【発明を実施するための形態】
【００１０】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【実施例１】
【００１１】
以下、本発明の実施形態のひとつを添付画面にしたがい詳細に説明する。
【００１２】
図２は、本発明の実施例１に係る情報通知装置としての撮像装置の構成を示すブロック図である。
【００１３】
図２において、撮像装置２００は、通信部２０１、二次記憶装置２０２、制御部２０３、操作部２０４、信号処理装置２０５、表示部２０６、光学ユニット２０７を備える。撮像装置２００はさらに、読み出し専用メモリ（ＲＯＭ）２０８、一次記憶装置（ＤＲＡＭ）２０９、外部記憶媒体２１０を備える。これらは、システムバスを介して互いに接続される。
【００１４】
撮像装置２００では、撮影指示に基づいて、信号処理装置２０５により現像前の撮影画像であるＲＡＷデータ（第一の画像データ）が生成される。その後、このＲＡＷデータを現像してＪＰＥＧデータ（第二の画像データ）が信号処理装置２０５にて生成される。この撮影時に生成されたＲＡＷデータ及びＪＰＥＧデータは関連付けて外部記憶媒体２１０の記憶領域に記憶される。ここで、ＪＰＥＧデータは、撮影により生成されたＲＡＷデータに対して所定の画像処理パラメータで画像処理がおこなわれ、その結果を符号化したデータである。このＪＰＥＧデータに基づき、撮像装置２００の閲覧モードにおいて撮影画像が表示部２０６に表示される。
【００１５】
操作部２０４を介して、閲覧モードで表示された撮影画像の一つのユーザ選択、及びその選択された撮影画像の画質調整のユーザ指示がなされた場合、この撮影画像のＲＡＷデータに対してユーザ指示がなされた画質調整が信号処理装置２０５で行われる。また、その結果を符号化したＪＰＥＧデータが新たに生成される。この新たに生成されたＪＰＥＧデータにより、外部記憶媒体２１０に記憶されていたＪＰＥＧデータは上書き・更新される。
【００１６】
尚、本発明における第二の画像データは、ＲＡＷデータを符号化したものであればよく、その画像フォーマットはＪＰＥＧに限定されるものではない。また、本実施例では、画質調整のユーザ指示があった場合、外部記憶媒体２１０に記憶されていたＪＰＥＧデータは上書き・更新されるが、新たに生成されたＪＰＥＧデータを別途外部記憶媒体２１０に記憶するようにしてもよい。
【００１７】
さらに撮像装置２００では、外部記憶媒体２１０の空き容量が所定値未満となった場合、次の撮影指示があったときに消去対象のＲＡＷデータを制御部２０３が自動的に消去する。ここで、撮影指示に基づいて生成された日時が古い順にＲＡＷデータが消去対象となる。
【００１８】
本実施例において、撮像装置２００は、撮影モードにおいて表示部２０６にＲＡＷデータの自動消去に関する緊迫度を表示する。表示部２０６に表示する画面構成を図３に示す。図３において、３０１は表示画面全体であり、撮像素子からの出力がライブビューとしてリアルタイムに表示される。３０２は撮影枚数を示す情報であり、左部に撮影済みのＪＰＥＧデータの数が表示され、右部に最大撮影可能枚数を表示する。最大撮影可能枚数は概算値であり、外部記憶媒体２１０に記憶されたＲＡＷデータのうち消去対象に該当するデータ容量を外部記憶媒体２１０の利用容量から差し引いたうえで算出される。３０３はＲＡＷデータの自動消去に関する事前通知領域であり、自動消去の緊迫度を段階的なメッセージで表示する。尚、本実施例では、メッセージにより緊迫度を通知しているが、これに限定されるものではなく、例えば、文字、アイコン、表示色、音のいずれかまたはこれらの組み合わせにより通知するようにしてもよい。
【００１９】
メッセージ３０３の段階切り替えについて説明する。まず自動消去開始までの撮影可能枚数を算出する。この撮影可能枚数は、外部記憶媒体２１０の空き容量に基づき算出される。
【００２０】
そして、算出された撮影可能枚数が第１の閾値以上であれば、図３（Ａ）に示したように表示する。算出された撮影可能枚数が第１の閾値未満であり、かつ自動消去せずに撮影可能である場合、すなわち第２の閾値以上である場合には図３（Ｂ）のように表示する。撮影によって自動消去が発生する場合、すなわち第２の閾値未満である場合には図３（Ｃ）のように表示する。
【００２１】
図１は、本実施例に係る緊迫度通知処理の手順を示すフローチャートである。本処理は図２の制御部２０３により実行される。
【００２２】
図１において、まず、撮像装置２００の現在のモードが撮影モードであるか否かを判断する（ステップＳ１０１）。この判断の結果、撮影モードであるときは（ステップＳ１０１でＹＥＳ）、ステップＳ１０２に進む。
【００２３】
ステップＳ１０２は制御部２０３が自動消去に関する緊迫度を算出して通知する処理である。これは図３を用いて説明した通知を行うためのもので、後述するステップＳ１０３のユーザによる撮影指示より前におこなわれる。ステップＳ１０２では、自動消去開始までの撮影可能枚数を算出する。そして、算出された撮影可能枚数が第１の閾値以上であれば、緊迫度として「レベル０」を算出する。緊迫度が「レベル０」の場合、図３（Ａ）のように表示がおこなわれる。算出された撮影可能枚数が第１の閾値未満であれば、緊迫度として「レベル１」を算出する。緊迫度が「レベル１」の場合、図３（Ｂ）のように表示がおこなわれる。撮影可能枚数が第２の閾値未満であれば、緊迫度として「レベル２」が算出される。緊迫度が「レベル２」の場合、図３（Ｃ）のように表示され、次に撮影が行われると、消去対象のＲＡＷデータが自動的に消去される。
【００２４】
次に、ユーザが操作部２０４を介して撮影指示を行うと（ステップＳ１０３でＹＥＳ）、制御部２０３はステップＳ１０４で該撮影指示に基づいてＲＡＷデータを生成する。次に、制御部２０３はステップＳ１０５において、ＲＡＷデータに対して所定の画像処理パラメータで画像処理を行う。さらに制御部２０３は、この画像処理結果を符号化してＪＰＥＧデータを生成する。次に、制御部２０３はステップ１０４において、ステップＳ１０２で算出された緊迫度に基づいて、撮影した画像の消去の必要性を判定する。具体的には、レベル３以外の緊迫度をステップＳ１０２において通知していた場合、制御部２０３は、ステップＳ１０４とＳ１０５で生成した新たな画像データの合計容量が外部記憶媒体２１０の空き容量より大きいと判断し、ステップＳ１０９に進める。一方、レベル３の緊迫度をステップＳ１０２において通知していた場合、外部記憶媒体２１０の空き容量の方が小さいと判断し、外部記憶媒体２１０の空き容量を増やすために処理をステップＳ１０７に進める。
【００２５】
次に、ステップＳ１０６からＳ１０９に進んだ場合について説明する。ステップＳ１０９において、制御部２０３はＲＡＷデータとＪＰＥＧデータを外部記憶媒体２１０に記憶する。次に、ステップＳ１１０において制御部２０３は外部記憶媒体２１０の空き容量に基づいて自動消去に関する緊迫度を再度算出して通知を行う。この通知処理はステップＳ１０２でおこなったものと同じ処理である。以上の処理によって、外部記憶媒体２１０の空き容量が十分であった場合には、撮影によって生成された新たなＲＡＷデータおよびＪＰＥＧデータが外部記憶媒体２１０に記憶されると共に、緊迫度の通知内容が更新される。
【００２６】
次に、ステップＳ１０６からＳ１０７に進んだ場合について説明する。ステップＳ１０７において、制御部２０３は外部記憶媒体２１０に記憶されているＲＡＷデータから消去対象を決定する。この処理では、ＪＰＥＧデータが生成されたＲＡＷデータのうち、撮影日時の古い順に画像が選択される。次にステップＳ１０８において、制御部２０３はステップＳ１０７で選択された消去対象を消去する。ＪＰＥＧデータは消去されることはない。次に、制御部２０３は処理をステップＳ１０９に進める。ステップＳ１０９，Ｓ１１０は既に説明した内容の通りである。
【００２７】
以上の流れによって、本実施例における撮像装置２００では、ＲＡＷデータの自動消去に関する緊迫度を通知する。
【００２８】
以上のような本実施例の構成によれば、ユーザによる撮影操作の前後で自動消去に関する緊迫度を通知することで、以前撮影した画像の画質調整を行えなくなることをユーザに事前通知することができる。ユーザはこの通知を受けて、外部の記憶装置に画像データを移動することや不要画像を外部記憶媒体２１０から削除することができる。これにより、外部記憶媒体２１０に記憶されている撮影画像のＲＡＷデータのうち、ユーザによる画質調整予定があるものが自動消去され画質調整できなくなることを避けることができる。
【００２９】
なお、本実施例では、ＲＡＷデータの自動消去に関する緊迫度を表示部２０６に表示する旨について説明したが、この表示部２０６はたとえば撮像装置２００のディスプレイやファインダー画面である。また、本撮像装置２００の通信部２０１を介して有線または無線で接続された外部の情報処理装置の表示部に表示する構成であっても本発明は適用される。
【００３０】
また、本実施例では、外部記憶媒体２１０の空き容量不足の場合に撮影日時が古いものを優先的に消去対象に選択する構成としたが、別の基準で消去対象を決定してもよい。たとえば画像に設定されたレーティング等のメタデータ基づいて消去対象を決定してもよい。また、ＲＡＷデータに対して所定の画像処理をおこなって元画像データからの変化量を算出し、その変化量に基づいて消去対象を決定する形態であってもよい。
【００３１】
また、外部記憶媒体２１０の記憶される撮影画像のＲＡＷデータのうち、ユーザが自動消去の対象外となるものを設定する手段をさらに具備する形態であっても本発明は適用される。
【００３２】
さらに、撮像装置２００は、撮影モードにおいて、複数の画質モードの一つに設定することができるようにしてもよい。この場合、撮影モードにおいてレベル２が緊迫度として算出されると、上記複数の画質モードに応じて撮影可能枚数をそれぞれ算出し、その算出結果に応じてその複数の画質モード毎の前記緊迫度を通知するようにしてもよい。
【００３３】
例えば、高画質モードで撮影していて、緊迫度が最も高く（レベル２）なった場合、各画質モードに対して以下のような通知が表示される。具体的には、高画質モードについては、「現在の高画質モードを維持する場合、次に撮影したら自動消去される」の通知が表示される。また、中画質モードについては、「中画質モードに変更した場合、自動消去されずに３枚撮影可能」の通知が表示され、低画質モードについては、「低画質モードに変更した場合、自動消去されずに１０枚撮影可能」の通知が表示される。
【実施例２】
【００３４】
以下、本発明の別の実施形態を添付画面にしたがい詳細に説明する。
【００３５】
本実施例において、撮像装置（情報通知装置）は外部装置と通信して、その外部装置において、撮像装置における複数回の撮影指示により得られた画像の各々について画質調整を行えなくなることをユーザに事前通知する。
【００３６】
ここで、本実施例における外部装置は、単一のコンピュータ装置（ＰＣ）４００で実現される。しかし、かかる構成に限定されるわけではなく、必要に応じた複数のコンピュータ装置に各機能を分散して実現するようにしてもよい。複数のコンピュータ装置で構成される場合は、互いに通信可能なようにＬｏｃａｌ  Ａｒｅａ  Ｎｅｔｗｏｒｋ（ＬＡＮ）などで接続される。また、ＰＣ４００に送信することなく、撮像装置上で後述する図５の画面を表示し、以前の撮影により得られた画像の画質調整を行えなくなることをユーザに事前通知する構成としてもよい。
【００３７】
また、本実施例における撮像装置の構成は、実施例１において図２を用いて説明したものと同じであるので、同一の構成については同一の符号を付し、その説明は省略する。本実施例では、撮像装置２００は通信部２０１を介してＰＣ４００と通信を行う。ユーザは該ＰＣ４００を操作して撮像装置２００の外部記憶媒体２１０に記憶された画像を閲覧するとともに、自動消去の緊迫度の通知を受けることができる。さらに、ユーザは該ＰＣ４００の後述する入力デバイス４０９を操作して撮像装置２００の外部記憶媒体２１０に記憶された画像に対して画像処理パラメータを指定することができる。
【００３８】
以下、ＰＣ４００の構成について図４を用いて説明する。
【００３９】
図４において、４０１はＰＣ４００の全体を制御する制御部であり、例えばＣｅｎｔｒａｌ  Ｐｒｏｃｅｓｓｉｎｇ  Ｕｎｉｔ（ＣＰＵ）である。４０２は変更を必要としないプログラムやパラメータを格納するＲｅａｄ  Ｏｎｌｙ  Ｍｅｍｏｒｙ（ＲＯＭ）である。４０３は外部装置などから供給されるプログラムやデータを一時記憶するＲａｎｄｏｍ  Ａｃｃｅｓｓ  Ｍｅｍｏｒｙ（ＲＡＭ）である。４０４はＰＣ４００に固定して設置されたハードディスクやメモリカード、あるいはＰＣ４００から着脱可能なフロッピーディスク（ＦＤ）やＣｏｍｐａｃｔ  Ｄｉｓｋ（ＣＤ）等の光ディスク、磁気や光カード、ＩＣカードなどを含む外部記憶装置である。４０５はユーザの操作を受け、データを入力するポインティングデバイスやキーボードなどの入力デバイス４０９とのインターフェイスである。４０６はＰＣ４００の保持するデータや供給されたデータを表示するための表示部（ディスプレイ）４１０とのインターフェイスである。４０７はインターネットなどのネットワーク回線４１１に接続するためのネットワークインターフェイスである。４０８は、撮像装置２００などの画像入力デバイス４１２と通信するためのインターフェイスである。４１３は４０１〜４０８の各ユニットを通信可能に接続するシステムバスである。
【００４０】
次に、ＰＣ４００の表示部４１０に表示する画面構成を図５に示す。図５において、５０１は表示画面全体である。５０２は、撮像装置２００から受信した複数回の撮影指示により得られた撮影画像のＪＰＥＧデータを一覧表示する画像一覧である。ユーザが入力デバイス４０９を操作して画像一覧５０２から任意のＪＰＥＧデータを選択すると、該ＪＰＥＧデータが選択画像５０６として表示される。さらに、該選択画像５０６がＲＡＷデータを伴う場合、すなわち撮像装置２００の外部記憶媒体２１０に選択画像５０６として選択されたＪＰＥＧデータと関連づけられたＲＡＷデータが存在する場合には編集メニュー５０７も合わせて表示される。この編集メニュー５０７に基づいて、入力デバイス４０９を用いてユーザは選択画像５０６に対する画像処理パラメータを指定する。この画像処理パラメータとは例えばホワイトバランスや明るさといったパラメータである。
【００４１】
５０３〜５０５は、撮像装置２００の外部記憶媒体２１０に記憶されたＲＡＷデータの各々の緊迫度を示すアイコン（付加情報）である。該アイコンは自動消去の緊迫度に応じて３段階の形態があり、その段階は表示色によって識別可能である。尚、本実施例では、アイコンと表示色の組み合わせにより緊迫度を通知しているが、これに限定されるものではなく、文字、アイコン、表示色、音のいずれかまたはこれらの組み合わせにより通知するようにしてもよい。また、緊迫度は撮影設定（例えば、パノラマ撮影か否か等の設定）に基づいて算出される。
【００４２】
このアイコンが付加されている画像は自動消去の緊迫度によらず画像処理可能であり、アイコンはその形状によって画像処理可能である旨も示す。
【００４３】
ＲＡＷデータを伴う画像の表示アイコンの段階切り替えについて説明する。本実施例においても、実施例１で説明した自動消去までの撮影可能枚数の概算を求める。そして、その概算値に基づき、次の撮影によって自動消去がおこなわれる画像に関してはアイコン５０３を表示する。また、所定の撮影枚数以下で自動消去の対象となる画像に関してはアイコン５０４を表示する。ＲＡＷデータを伴う画像で、アイコン５０３および５０４の表示条件に該当しない画像についてはアイコン５０５を表示する。なお、図５において図示はしていないが、ＲＡＷデータを伴わない画像についてはアイコン５０５を表示しない。すなわち画像一覧５０２に表示されているＪＰＥＧデータのうち、これに関連づけられたＲＡＷデータが撮像装置２００の外部記憶媒体２１０に存在しないものについてはアイコン５０５を表示しない。
【００４４】
次に、図６および図７を用いて、本実施例２における緊迫度通知処理の手順、具体的には、撮影画像の閲覧と画像処理パラメータの指定、および緊迫度の表示に関する処理の手順を説明する。図６は撮像装置２００側の処理の流れであり、図７はＰＣ４００側の処理の流れを示す。以下で説明する図６の各処理ステップは撮像装置２００の制御部２０３によっておこなわれ、図７の各処理ステップはＰＣ４００の制御部４０１によっておこなわれる。
【００４５】
まず、ＰＣ４００において、現在のモードが閲覧モードか否かを判断する（ステップＳ７０１）。この判断の結果、閲覧モードであるときは（ステップＳ７０１でＹＥＳ）、撮像装置２００に撮像された画像とその緊迫度の送信を要求する（ステップＳ７０２）。
【００４６】
ＰＣ４００からのステップＳ７０２の要求を受けて、撮像装置２００において、ステップＳ１０２と同様にステップＳ６０１で自動消去開始までの撮影可能枚数を算出する。この算出された撮影可能枚数に基づいて、図５の説明で上述した通り自動消去の緊迫度を画像ごとにその付加情報として算出する。尚、本ステップにおいて、撮影により生成されたＪＰＥＧデータに関連づけられたＲＡＷデータが外部記憶媒体２１０に存在しない場合、その画像に対する緊迫度の算出は行わない。
【００４７】
次にステップＳ６０２にて、各々の画像について画像識別情報、ＪＰＥＧデータ、および自動消去の緊迫度をＰＣ４００に送信する。
【００４８】
次にＰＣ４００において、ステップＳ６０２で送信された情報を受信すると（ステップＳ７０３）、受信した画像と緊迫度を表示部４１０に図５の画像一覧５０２に示すように表示する（ステップＳ７０４）。次に、ステップＳ７０５において、ユーザ操作による上記画像一覧５０２にある一つの画像の選択入力とその選択された画像に対する画像処理パラメータの指定を受け付ける。次に、ステップＳ７０６において、ステップＳ７０５で受理した画像処理パラメータと該画像の識別情報を撮像装置２００へ送信する。
【００４９】
次に、撮像装置２００において、ＰＣ４００のステップＳ７０６で送信された情報を受信する（ステップＳ６０３）。ステップＳ６０４では、受信した識別情報に基づき、対象となるＲＡＷデータに対して画像処理パラメータに基づいて画像処理をおこない、その結果を符号化してＪＰＥＧデータを生成する。また、生成したＪＰＥＧデータを画像処理結果としてＰＣ４００へ送信する。
【００５０】
次に、ＰＣ４００において、撮像装置２００のステップＳ６０４で画像処理結果として送信されたＪＰＥＧデータを受信する（ステップＳ７０７）。次に、ステップＳ７０８で、該ＪＰＥＧデータを画像処理結果として表示する。次に、ステップＳ７０９で画像処理パラメータが確定したか判定する。画像処理パラメータを確定するユーザ指示を受け付けた場合には処理をステップＳ７１０に進め、そうでなければ処理をステップＳ７０５に戻す。ステップＳ７１０では、画像処理終了にあたり、この画像処理結果の保持方法の指示をユーザより受け付ける。この指示に基づいて、撮像装置２００の外部記憶媒体２１０に記憶されているＪＰＥＧデータを上書きするか、それとも異なるデータとして外部記憶媒体２１０に記憶するかを決定する。さらに、画像処理をおこなったＲＡＷデータを外部記憶媒体２１０から消去するか否かのユーザ指示を受け付ける。次に、ステップＳ７１１では、ステップＳ７０９，Ｓ７１０で受け付けたユーザ指示を含む終了通知を撮像装置２００に送信し、ＰＣ４００の処理を終了する。
【００５１】
次に、撮像装置２００において、ステップＳ７１１でＰＣ４００から送信された終了通知を受信する（ステップＳ６０５）。その後、この受信した終了通知に含まれるステップＳ７０９で受け付けたユーザ指示に基づいて画像処理パラメータの確定をおこない、ＪＰＥＧデータを外部記憶媒体２１０に記憶する（ステップＳ６０６）。ここで、ＰＣ４００のステップＳ７１０で受け付けたユーザ指示に従って、ＪＰＥＧデータを上書きまたは、異なるデータとして外部記憶媒体２１０に記憶する。最後に、ステップＳ６０７において、ステップＳ６０５で受信した終了通知に、ステップＳ７１０にてＲＡＷデータを消去するユーザ指示が含まれていれば、その指示に従ってＲＡＷデータを消去して、撮像装置２００の処理を終了する。
【００５２】
以上の処理によって、撮像装置２００とＰＣ４００が連携して、撮影画像の閲覧と画像処理パラメータの指定を行う。また、ＲＡＷデータの各々について、自動消去の緊迫度を表示する。
【００５３】
以上のような本実施例の構成によれば、撮影画像の閲覧に際して自動消去に関する緊迫度を通知することで、以前撮影した画像の画質調整を行えなくなることをユーザに事前通知することができる。ユーザはこの通知を受けて、外部の記憶装置に画像データを移動することや不要画像を外部記憶媒体２１０から削除することができ、ＲＡＷデータが自動消去され画質調整できなくなることを避けることができる。
【００５４】
なお、本実施例では、ＲＡＷデータを伴わない画像についてはアイコン５０３，５０４，５０５および編集メニュー５０７を表示しない構成としたが、ＲＡＷデータを伴わない画像自体をＰＣ４００に送信しない形態であってもよい。さらに本実施例では、撮像装置２００とＰＣ４００を異なる装置としたが、表示と操作に関する構成を撮像装置２００に備え、撮像装置２００のみの構成で実現される形態であっても本発明は適用される。
【００５５】
また、上記実施例１，２においては、撮像装置２００の外部記憶媒体２１０にＲＡＷデータが記憶される構成であったが、撮像装置の通信部２０１を介して接続する外部メモリ（例えばクラウドストレージ）にＲＡＷデータが記憶されていてもよい。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００５７】
２０１  通信部
２０２  二次記憶装置
２０３  制御部
２０４  操作部
２０５  信号処理装置
２０６  表示部
２０７  光学ユニット
２０８  読み出し専用メモリ（ＲＯＭ）
２０９  一時記憶装置（ＤＲＡＭ）
２１０  外部記憶媒体
【図１】
2017228886.tif 000003
【図２】
2017228886.tif 000004
【図３】
2017228886.tif 000005
【図４】
2017228886.tif 000006
【図５】
2017228886.tif 000007
【図６】
2017228886.tif 000008
【図７】
2017228886.tif 000009